(57)【特許請求の範囲】
【請求項１】
釣竿に装着され、釣り糸を巻き取り及び繰り出し可能なスピニングリールであって、
前記釣竿に装着されるリール本体と、
前記リール本体に対して移動自在かつ外周に釣り糸が巻き付けられる糸巻胴部と前記糸巻胴部の後端部に設けられたスカート部とを有するスプールと、
前記リール本体に回転自在に支持され、前記スプールの外周側に配置されたロータアームと前記釣り糸を案内するラインローラが設けられ前記ロータアームに装着され前記釣り糸を前記糸巻胴部に巻き付けるベールアームとを有し、前記釣り糸が繰り出されるときに前記スプールと相対回転するロータと、
前記スカート部の外周において前記釣り糸を係止し前記ラインローラを経由して前記釣り糸が繰り出されるときに作用する張力により前記釣り糸の係止が解除される釣糸係止部と、
前記ラインローラと前記釣糸係止部との間に配置され、前記ラインローラを経由して前記釣り糸が繰り出されるときに前記釣り糸が引っ掛かるように前記ロータに突出して設けられた突出部と、
を備えたスピニングリール。
【請求項２】
前記突出部は前記ロータアームに設けられている、請求項１に記載のスピニングリール。
【請求項３】
前記突出部は前記ベールアームに設けられている、請求項１に記載のスピニングリール。
【請求項４】
前記ラインローラを経由して前記釣り糸が繰り出されるときに前記スプールが回転する、請求項１から３のいずれかに記載のスピニングリール。
【請求項５】
前記ラインローラを経由して前記釣り糸が繰り出されるときに前記ロータが回転する、請求項１から３のいずれかに記載のスピニングリール。
【発明の詳細な説明】
【０００１】
【発明の属する技術分野】
本発明は、スピニングリール、特に、釣竿に装着され釣り糸を巻き取り及び繰り出し可能なスピニングリールに関する。
【０００２】
【従来の技術】
一般にスピニングリールは、ハンドルを回転自在に支持するリール本体と、ロータと、スプールとを備えている。スピニングリールのスプールは、リール本体に対して前後移動自在であり、釣り糸が巻かれる糸巻胴部と、糸巻胴部の前端に配置された大径のフランジ部と、糸巻胴部の後方に一体で形成されたスカート部とを有している。スカート部には糸巻胴部に巻かれた釣り糸を係止するための釣糸係止部が設けられている。
【０００３】
このような釣糸係止部は、糸巻胴部に巻かれた釣り糸の先端部分を係止し、釣り糸が糸巻胴部からばらけないようにするためのものである。この種の釣糸係止部は、たとえば合成樹脂製の係止部と、係止部と一体成形された板状の取付部とを有している。係止部は、たとえばスカート部の外周面に沿って露出し、スカート部と僅かな隙間をあけて後方側に開口するように配置されている。
【０００４】
この釣糸係止部を用いて釣り糸を係止するには、釣人が係止部を持ち上げて開口を広げ、釣り糸の先端部を係止部とスカート部との隙間に挟み込むようにして係止する。この場合は、係止部が合成樹脂によって形成されているので、合成樹脂の弾性力によって、係止された釣り糸が容易に外れないようになっている。このため、係止された釣り糸を外すには、釣人が係止部を持ち上げ、釣り糸が係止される方向と逆方向に引っ張ることにより釣り糸の係止を解除する。
【０００５】
【発明が解決しようとする課題】
このようなスプールにおいて、たとえばキャスティング長さを決定するために釣り糸の中間部分を係止する釣法が知られている。この場合、まず所望のキャスティング長さとなるように釣り糸の中間部分を係止部に係止し、残りの釣り糸を巻き付ける。そして、ベールを開いてキャスティングを行うと、所望のキャスティング長さだけ釣り糸が繰り出され、この釣り糸の中間部分の係止が維持される。一方、魚等がかかって係止部に係止された釣り糸に大きなテンションが生じたときには、ラインローラを経由して釣り糸が繰り出されるときに作用する張力により係止部から釣り糸が自然に外れる必要がある。
【０００６】
そこで、釣り糸の中間部分を係止した際、ラインローラを経由して釣り糸が繰り出されるときに大きなテンションが作用すると、釣糸係止部に係止された釣り糸が容易に外れるように構成された釣糸係止部が考えられている。
【０００７】
しかし、釣糸係止部がラインローラと逆側に位置したり、釣糸係止部がリール後方に位置している場合、すなわちラインローラと釣糸係止部との間の距離が長い場合には、釣り糸のなす角が鋭角となってしまうので、釣り糸の係止解除が困難になることがある。このため、釣り糸の中間部分を係止する釣法を行う際、釣り糸が自然に外れないので、不便である。
【０００８】
本発明の課題は、釣り糸の中間部分を係止できる利便性のよいスピニングリールを提供することにある。
【０００９】
【課題を解決するための手段】
発明１に係るスピニングリールは、釣竿に装着され釣り糸を巻き取り及び繰り出し可能なスピニングリールであって、釣竿に装着されるリール本体と、リール本体に対して移動自在かつ外周に釣り糸が巻き付けられる糸巻胴部と糸巻胴部の後端部に設けられたスカート部とを有するスプールと、リール本体に回転自在に支持されスプールの外周側に配置されたロータアームと釣り糸を案内するラインローラが設けられロータアームに装着され釣り糸を糸巻胴部に巻き付けるベールアームとを有し釣り糸が繰り出されるときにスプールと相対回転するロータと、スカート部の外周において釣り糸を係止しラインローラを経由して釣り糸が繰り出されるときに作用する張力により釣り糸の係止が解除される釣糸係止部と、ラインローラと釣糸係止部との間に配置されラインローラを経由して釣り糸が繰り出されるときに釣り糸が引っ掛かるようにロータに突出して設けられた突出部とを備えている。
【００１０】
このスピニングリールでは、たとえば釣り糸の中間部分が釣糸係止部に係止される。そして、この釣糸係止部に釣り糸の中間部分が係止された状態で、ラインローラを経由して釣り糸が繰り出されるときに大きな張力が作用すると、釣り糸が釣糸係止部から外れる。このとき、繰り出される釣り糸がロータに形成された突出部に引っ掛かり、釣り糸のなす角が鋭角になりにくいので、繰り出される釣り糸に作用する張力により釣糸係止部から釣り糸が自然に外れる。
【００１１】
ここでは、釣り糸の中間部分を係止する釣法を行う際にも釣り糸が容易に外れ、利便性がよい。
発明２に係るスピニングリールは、発明１のスピニングリールにおいて、突出部はロータアームに設けられている。この場合、特にロータアームがベールアームよりスプール側に位置している場合、突出部はラインローラ側のロータアームのラインローラと釣糸係止部の間に設けられているので、釣糸係止部に係止された釣り糸の係止解除を補助することができる。
【００１２】
発明３に係るスピニングリールは、発明１のスピニングリールにおいて、突出部はベールアームに設けられている。この場合、特にベールアームがロータアームよりスプール側に位置している場合、突出部はラインローラ側のベールアームのラインローラと釣糸係止部の間に設けられているので、釣糸係止部に係止された釣り糸の係止解除を補助することができる。
【００１３】
発明４に係るスピニングリールは、発明１から３いずれかのスピニングリールにおいて、ラインローラを経由して釣り糸が繰り出されるときにスプールが回転する。
【００１４】
発明５に係るスピニングリールは、発明１から３いずれかのスピニングリールにおいて、ラインローラを経由して釣り糸が繰り出されるときにロータが回転する。
【００１５】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１６】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１７】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部１２ａはロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００１８】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１９】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２０】
円筒部３０の前部には前壁３３が形成されており、前壁３３の中央部にはボス部３３ａが形成されている。ボス部３３ａの中心部には貫通孔が形成されており、この貫通孔をピニオンギア１２の前部１２ａ及びスプール軸１５が貫通している。前壁３３の前部にナット１３が配置されており、ナット１３の内部にスプール軸１５を回転自在に支持する軸受３５が配置されている。
【００２１】
第１ロータアーム３１の先端の外周側には、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００２２】
ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２３】
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２４】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる筒状の糸巻胴部７ａと糸巻胴部７ａの後部に一体で形成された大径筒状のスカート部７ｂとを有するスプール本体７と、糸巻胴部７ａの前端に装着された大径のフランジ部８と、フランジ部８をスプール本体７に固定するためのフランジ固定部材９とを有している。
【００２５】
スプール本体７は、たとえばアルミニウム合金を鍛造成形して得られた大小２段の円筒状の部材であり、２つの軸受５６、５７によりスプール軸１５に回転自在に装着されている。
【００２６】
糸巻胴部７ａは、図３に示すように、筒状部１６と筒状部１６の内周側に一体形成された円板部１７と円板部１７の内周側に形成された１対のボス部１８ａ、１８ｂとを有している。筒状部１６の内周面には、フランジ固定部材９を装着するための雌ねじ部１６ａが形成されている。ボス部１８ａ、１８ｂの内周部には軸受５６、５７が装着されている。
【００２７】
スカート部７ｂは、筒状に形成されており、ロータ３の円筒部３０を覆うように糸巻胴部７ａと一体で鍛造成形されている。またその外周の前端側には、図４に示すように、釣糸係止部７０が装着可能にスカート部７ｂを貫通する貫通孔７ｃが形成されている。そして、スカート部７ｂ前端部の内周側には後方に突出した係止ピン７ｄが形成されている。また、スカート部７ｂ外周の釣糸係止部７０の後方側には、釣糸係止部７０より外周側に突出する釣糸進入防止部９０がスカート部７ｂと一体成形されている。
【００２８】
釣糸係止部７０は、図４に拡大して示すように、たとえば合成樹脂製であり、ラインローラ４１を経由して釣り糸が繰り出されるときに作用する張力により釣り糸の係止が解除されるようになっている。釣糸係止部７０は、スカート部７ｂ外周に面して外方に露出して設けられた係止部７０ａと、係止部７０ａから略直角に折れ曲がり、貫通孔７ｃを貫通してスカート部７ｂ内部に延びる取付部７０ｂとを有している。
【００２９】
係止部７０ａはスカート部７ｂの外周面とともに釣り糸を挟持して係止するためのものである。係止部７０ａは、図４に示すように、先端部が丸みを帯びた形状になっており、係止部分の厚み（係止部７０ａの下端面とスカート部７ｂ外周面との間の距離）は狭くなっている。また、図５に示すように、係止部７０ａの外形の形状も略半円形となるように形成されている。さらに、係止部７０ａの前後方向長さＡは係止部７０ａの周方向長さＢより短くなるように形成されている。このため、係止部７０ａに釣り糸を係止したとき、小さな力で容易に釣り糸を外すことができる。たとえば、釣り糸の中間部分を係止するような釣法を用いる場合、魚等がヒットしてラインローラ４１を経由して釣り糸が放出されたとき、釣人が係止部７０ａから釣り糸の係止を解除することなく自然に係止部７０ａから釣り糸が外れるので、好適である。
【００３０】
取付部７０ｂは、図４に示すように、スカート部７ｂの前端部に当接し、係止ピン７ｄが挿入される取付孔が形成されている。取付部７０ｂをスカート部７ｂに取り付けるには、取付孔に係止ピン７ｄを挿入し、取付部７０ｂより突出した係止ピン７ｄの頭部に係止金具８０を装着して固定する。係止金具８０は、たとえば中央に孔部８０ａを有する円盤状の金属製部材である。孔部８０ａの径は係止ピン７ｄの径より小さくなるように形成されており、孔部８０ａの内径部には４箇所の切り欠きが形成されている。この孔部８０ａを係止ピン７ｄに押し込むと、内径部分が係止ピン７ｄを挟む方向に広がって挟持されるので、係止金具８０が係止ピン７ｄに固定される。
【００３１】
釣糸進入防止部９０は、図６に拡大して示すように、釣り糸が釣糸係止部７０に進入するのを防止するためのものであり、スカート部７ｂの一部が隆起して一体成形され、係止部７０ａの開口部分と対向する壁面を生成するような段差部９０ａを有している。釣糸進入防止部９０は釣糸係止部７０より外周側に突出するように設けられている。つまり、釣糸進入防止部９０の外方への突出量Ｃが釣糸係止部７０の外方への突出量Ｄよりも大きくなっており、釣り糸が釣糸係止部７０に進入しにくくなっている。
【００３２】
フランジ部８は、外周に行くほど前方に傾斜するように形成された金属製又は硬質セラミックス製の傷つきにくい円板状の部材である。そしてフランジ部８は、糸巻胴部７ａの内周面の雌ねじ部１６ａに螺合するフランジ固定部材９により糸巻胴部７ａとの間に挟持されて固定されている。
【００３３】
フランジ固定部材９は、スプール本体の内周面に形成された雌ねじ部１６ａに螺合する筒状の雄ねじ部９ａと、雄ねじ部９ａの内周側に一体で形成されドラグ機構６０の後述する複数のドラグ板６２を収納可能な空間を内部に有する筒状のドラグ収納部９ｂと、雄ねじ部９ａの先端にフランジ部８に当接可能に設けられた当接部９ｃとを有している。
【００３４】
ドラグ機構６０は、図３に示すように、スプール４とスプール軸１５との間に装着されスプール４にドラグ力を作用させるためのフロントドラグ型の機構である。ドラグ機構６０は、ドラグ力を手で調整するためのつまみ部６１と、つまみ部６１によりスプール４側に押圧される複数枚のドラグ板６２とを有している。
【００３５】
また、図１及び図２に示すように、第１ロータアーム３１には、ラインローラ４１と釣糸係止部７０との間に配置され、ラインローラ４１を経由して釣り糸が繰り出されるときに釣り糸が引っ掛かる突出部１００が形成されている。突出部１００は、第１ロータアーム３１の下方に突出して設けられ、釣り糸を滑らかに案内するために外形が湾曲した形状になっている。
【００３６】
このような構成のスピニングリールでは、釣糸係止部７０は、ラインローラ４１を経由して釣り糸が繰り出されるときに作用する張力により釣り糸の係止が解除されるようになっている。このため、特に釣り糸の中間部分を係止する釣法を用いる場合、ラインローラ４１を経由して釣り糸が繰り出されるときに作用する張力により、釣り糸が釣糸係止部７０から自然に外れる。さらに、第１ロータアーム３１にはラインローラ４１を経由して釣り糸が繰り出されるときに釣り糸が引っ掛かる突出部１００が形成されているので、釣り糸のなす角が鋭角になりにくい。このように、突出部１００を設けることにより、釣糸係止部７０から釣り糸が自然に外れるやすくなり、利便性がよい。
【００３７】
〔他の実施形態〕
（ａ）  前記実施形態では、釣糸係止部７０は合成樹脂製であったが、これに限定されるものではなく、たとえば金属製であってもよい。また、係止部７０ａの形状は、先端部が丸みを帯びた形状に限定されるものではない。
【００３８】
（ｂ）  図７及び図８に示すように、釣り糸の先端部を係止するために係止部７１ａ及び取付部７１ｂを有する釣糸進入防止部９０が作用しない補助釣糸係止部７１をさらに備えていてもよい。なお、釣糸係止部７０の係止力は補助釣糸係止部７１の係止力よりも弱くなっている。
【００３９】
（ｃ）  前記実施形態では、突出部１００は第１ロータアーム３１に設けられていたが、図示しないが、第１ベール支持部材４０に突出部１００を設けてもよい。
【００４０】
（ｄ）  前記実施形態では、フロントドラグ型のスピニングリールであったが、これに限定されるものではなく、リアドラグ型のスピニングリールであってもよい。また、前述のラインローラを経由して釣り糸が繰り出されるときにスプールが回転するスプール制動型のスピニングリールの他に、釣り糸が繰り出されるときにロータが回転するロータ制動型のスピニングリールにも本発明を適用できる。なお、ロータ制動型の場合、レバーで制動するものに限定されない。
【００４１】
【発明の効果】
本発明によれば、ラインローラを経由して釣り糸が繰り出されるときに作用する張力により釣り糸の係止が解除される釣糸係止部を有するスピニングリールにおいて、ロータのラインローラと釣糸係止部との間には、ラインローラを経由して釣り糸が繰り出されるときに釣り糸が引っ掛かる突出部が設けられている。このため、釣り糸が釣糸係止部から自然に外れやすくなり、釣り糸の中間部分を係止することが可能な利便性のよいスピニングリールを提供できる。
【図面の簡単な説明】
【図１】本発明の一実施形態によるスピニングリールの右側面図。
【図２】前記スピニングリールの左側面断面図。
【図３】前記スピニングリールのスプールの拡大断面図。
【図４】前記スプールの釣糸係止部周辺の拡大断面図。
【図５】前記スプールの釣糸係止部周辺の拡大平面図。
【図６】前記スプールの釣糸進入防止部周辺の拡大断面図。
【図７】他の実施形態の図４に相当する図。
【図８】他の実施形態の図１に相当する図。
【符号の説明】
４  スプール
７ａ  糸巻胴部
７ｂ  スカート部
４１  ラインローラ
７０  釣糸係止部
７１  補助釣糸係止部
９０  釣糸進入防止部
１００  突起部
【図１】
0004647838.tif 000002
【図２】
0004647838.tif 000003
【図３】
0004647838.tif 000004
【図４】
0004647838.tif 000005
【図５】
0004647838.tif 000006
【図６】
0004647838.tif 000007
【図７】
0004647838.tif 000008
【図８】
0004647838.tif 000009